(57)【要約】【課題】  地中アンカを埋設するときにあけられた下穴を補強できるパイプを提供する。【解決手段】  地面の所定の箇所に所定の構造物を支持する支線の傾きに合わせて所定の下穴工具を用いて所定の深さで所定の穴径を有する下穴をあけ、そのあけられた下穴に所定の粒径を有する骨材及び固結剤を投入し、その投入された骨材及び固結剤を所定の押圧工具を回転しながら押圧し、その骨材を破砕するとともにその下穴の壁面に圧入させ、次いで、その下穴に軸棒に螺旋状の掘削刃を有する地中アンカを埋設するときに用いられる地中アンカ埋設用パイプであって、前記地中アンカ埋設用パイプの本体は、前記下穴に挿入できる外径を有するとともに、前記所定の押圧工具が挿入できる内径を有し、かつ、所定の長さを有し、その下穴に挿入されて使用される。【選択図】      図６
2006200186.tif 000002
【特許請求の範囲】
【請求項１】
地面の所定の箇所に所定の構造物を支持する支線の傾きに合わせて所定の下穴工具を用いて所定の深さで所定の穴径を有する下穴をあけ、そのあけられた下穴に所定の粒径を有する骨材及び固結剤を投入し、その投入された骨材及び固結剤を所定の押圧工具を回転しながら押圧し、その骨材を破砕するとともにその下穴の壁面に圧入させ、次いで、その下穴に軸棒に螺旋状の掘削刃を有する地中アンカを埋設するときに用いられる地中アンカ埋設用パイプであって、
前記地中アンカ埋設用パイプの本体は、前記下穴に挿入できる外径を有するとともに、前記所定の押圧工具が挿入できる内径を有し、かつ、所定の長さを有し、その下穴に挿入されて使用されることを特徴とする地中アンカ埋設用パイプ。
【請求項２】
下記の（イ）〜（チ）の工程からなることを特徴とする地中アンカ埋設用パイプを用いた地中アンカの埋設方法。
（イ）地面の所定の箇所に所定の構造物を支持する支線の傾きに合わせて所定の深さで所定の穴径を有する下穴をあける下穴あけ工程。
（ロ）あけられた前記下穴に所定の内径及び所定の長さを有する地中アンカ埋設用パイプを挿入してその下穴を補強する補強工程。
（ハ）骨材、固結剤およびその固結剤が必要とする水を前記地中アンカ埋設用パイプを介して前記下穴内に投入する投入工程。
（ニ）前記下穴に投入された骨材、固結剤及び水を所定の工具を用いて混合撹拌してその骨材を破砕させてその下穴の壁面に圧入させる混合破砕工程。
（ホ）前記投入工程及び前記混合破砕工程を複数回繰返す繰返工程。
（ヘ）前記繰返工程終了後に、前記下穴から前記地中アンカ埋設用パイプを引抜く引抜工程。
（ト）前記引抜工程終了後に、軸棒に螺旋状の掘削刃を有する地中アンカを埋設するアンカ埋設工程。
（チ）前記アンカ埋設工程後に、前記固結剤が固化するまで養生する養生工程。
【請求項３】
請求項２に記載の地中アンカの埋設方法において、固結剤は、急硬成分を含有するセメント又はセメントモルタルであることを特徴とする地中アンカ埋設用パイプを用いた地中アンカの埋設方法。
【発明の詳細な説明】
【技術分野】
【０００１】
本発明は、地中アンカ埋設用パイプ及びそれを用いた地中アンカの埋設方法に係り、特に、地表面部分が崩落しやすい地盤を改良して地中アンカを効率よく埋設できるようにしたものに関する。
【背景技術】
【０００２】
本出願人は、配電線や電話線等の電柱、あるいは信号機のポール等の構造物（以下、電柱で説明する。）を支持するための支線を地中において支持するのに好適な地中アンカを提案している（特許文献１〜３参照。）。この地中アンカは、地中に埋設される鋳鉄製の軸棒（支持棒）の先端側に間欠的に螺旋状の掘削刃を一体的に設けて構成されている。
【０００３】
すなわち、この提案に係る地中アンカは、鋳鉄製の棒状の軸棒（支持棒）に所定の間隔を保って、かつ、先端側（地中に埋設される側）よりも上部ほど直径が大きくなる螺旋状の掘削刃を一体的に設けて構成されている。そして、この地中アンカは、電柱を立設するときの穴掘建柱車の回転部を用いて地中の任意の深さに簡単に埋設できる特長を有している。また、この提案に係る地中アンカは、螺旋状の掘削刃の大きさ（直径）を大きくすると、その分だけ支線の耐張力（引張力）が増加するという特長を有しているので、Ｎ値が５以下のような軟弱な地盤（地中あるいは地面と同じ意味で用いている。）であっても地中アンカを埋設できるという特長がある。
【０００４】
しかしながら、上記提案に係る地中アンカは、その地中アンカの螺旋状の掘削刃の直径を大きくすると軟弱な地盤であっても適用できるという特長を有しているが、螺旋状の掘削刃が大きくなると地中アンカ全体が大型化し、質量も大きくなって扱いにくくなるという問題点を有している。そこで、本出願人は、上記問題点を解決するために、比較的小型の地中アンカ、例えば螺旋状の掘削刃の直径が１４０ｍｍの地中アンカ（以下、１４０φの地中アンカのように表現する。）であっても軟弱な地盤用の地中アンカとして採用することができるようにした地中アンカの埋設方法を提案している（特許文献４参照。）。
【０００５】
上記提案に係る地中アンカの埋設方法は、地中アンカを埋設する地面の箇所に所定深さで所定の穴径を有する下穴（前穴と呼ばれることもある。）をあけ、そのあけられた下穴に所定の粒径を有する骨材を投入し、その投入された骨材を下端に超硬チップを有する工具を回転しながら押圧し、その骨材を破砕するとともにその下穴の壁面に圧入させ、次いで、その下穴に軸棒に螺旋状の掘削刃を有する地中アンカを埋設することを特徴としている。
【０００６】
さらにまた、上記提案に係る地中アンカの埋設方法では、下穴に骨材同士を固結させることのできるセメント又はセメントモルタルからなる固結剤及び水を投入し、工具で押圧しながら回転させる地中アンカの埋設方法も提案している。この提案に係る地中アンカの埋設方法は、地中アンカの周囲に形成される骨材の塊は強固な大きな塊となるため、支線（地中アンカ）の耐張力をより高めることができるという特長がある。
【特許文献１】特開２０００−１８５０号公報
【特許文献２】特開２００１−５９２２１号公報
【特許文献３】特開２００１−１８２０５８号公報
【特許文献４】特開２００４−２３６４９０号公報
【発明の開示】
【発明が解決しようとする課題】
【０００７】
上述のように、上記提案に係る地中アンカの埋設方法は、骨材の他にセメントやセメントモルタルからなる固結剤を用いると、地中アンカの耐張力を高めることができるという特長を有しているが、通常、電柱に用いられる支線は、地面に対して垂直以外の所定の角度を有しているために、地中アンカを埋設するときの下穴の軸方向も斜め方向にあけられる。ところが、地中アンカの埋設される場所の地質によっては、斜めにあけられた下穴の上部部分、すなわち、下穴の地表面近くが崩落（崩壊）して下穴への骨材、固結材及び水の投入がしにくくなる欠点があった。特に、このような欠点は、地中アンカの埋設される場所の地質が砂質ないし礫質の場合に生じやすかった。
【０００８】
そこで、本発明は、上記問題点を解決するためになされたものであって、その目的は、下穴が斜め方向にあけられていても、その下穴に骨材、固結材及び水を容易に投入することのできる地中アンカ埋設用パイプを提供するとともに、その地中アンカ埋設用パイプを用いた地中アンカの埋設方法を提供することにある。
【課題を解決するための手段】
【０００９】
本発明に係る地中アンカ埋設用パイプは、上記目的を達成するために、請求項１に記載の発明は、地面の所定の箇所に所定の構造物を支持する支線の傾きに合わせて所定の下穴工具を用いて所定の深さで所定の穴径を有する下穴をあけ、そのあけられた下穴に所定の粒径を有する骨材及び固結剤を投入し、その投入された骨材及び固結剤を所定の押圧工具を回転しながら押圧し、その骨材を破砕するとともにその下穴の壁面に圧入させ、次いで、その下穴に軸棒に螺旋状の掘削刃を有する地中アンカを埋設するときに用いられる地中アンカ埋設用パイプであって、前記地中アンカ埋設用パイプの本体は、前記下穴に挿入できる外径を有するとともに、前記所定の押圧工具が挿入できる内径を有し、かつ、所定の長さを有し、その下穴に挿入されて使用されることを特徴としている。
本発明に係る地中アンカ埋設用パイプを用いた地中アンカの埋設方法は、上記目的を達成するために、請求項２に記載の発明は、（イ）地面の所定の箇所に所定の構造物を支持する支線の傾きに合わせて所定の深さで所定の穴径を有する下穴をあける下穴あけ工程、（ロ）あけられた前記下穴に所定の内径及び所定の長さを有する地中アンカ埋設用パイプを挿入してその下穴を補強する補強工程、（ハ）骨材、固結剤およびその固結剤が必要とする水を前記地中アンカ埋設用パイプを介して前記下穴内に投入する投入工程、（ニ）前記下穴に投入された骨材、固結剤及び水を所定の工具を用いて混合撹拌してその骨材を破砕させてその下穴の壁面に圧入させる混合破砕工程、（ホ）前記投入工程及び前記混合破砕工程を複数回繰返す繰返工程、（ヘ）前記繰返工程終了後に、前記下穴から前記地中アンカ埋設用パイプを引抜く引抜工程、（ト）前記引抜工程終了後に、軸棒に螺旋状の掘削刃を有する地中アンカを埋設するアンカ埋設工程、（チ）前記アンカ埋設工程後に、前記固結剤が固化するまで養生する養生工程からなることを特徴としている。
本発明の請求項３に記載の地中アンカ埋設用パイプを用いた地中アンカの埋設方法は、固結剤は、急硬成分を含有するセメント又はセメントモルタルであることを特徴としている。
【発明の効果】
【００１０】
本発明の請求項１に記載のアンカ埋設用パイプは、地中アンカ埋設用パイプの本体は、下穴に挿入できる外径を有するとともに、所定の押圧工具が挿入できる内径を有し、かつ、所定の長さを有し、その下穴に挿入されて使用されるので、傾斜している下穴であってもその下穴内に骨材、固結材及び水を容易に投入することができる。
本発明の請求項２に記載の地中アンカ埋設用パイプを用いた地中アンカの埋設方法は、上述のように、下穴あけ工程、補強工程、投入工程、混合破砕工程、繰返工程、引抜工程、アンカ埋設工程、養生工程からなるので、骨材、固結材及び水の投入が容易で、地中アンカの埋設作業を容易に行うことができる。
本発明の請求項３に記載の地中アンカ埋設用パイプを用いた地中アンカの埋設方法は、固結剤は、急硬成分を含有するセメント又はセメントモルタルであるので、養生時間を短縮することができる。
【発明を実施するための最良の形態】
【００１１】
以下、本発明を実施するための最良の形態を図面に基づいて説明する。図１は、一実施の形態に係る地中アンカ埋設用パイプの斜視図である。この地中アンカ埋設用パイプの本体（以下、地中アンカ埋設用パイプ及びその本体を含めて「パイプ」という。）Ｐは、鋼製のパイプからなり、そのパイプの外形は、後述の図２に示される本発明の下穴工具及び押圧工具を兼用している工具１によって地面Ｇにあけられる下穴の直径Ｄ（後述の図３参照）とほぼ同じに、すなわち、パイプＰが下穴Ｈに簡単に挿入できるように決められ、また、そのパイプＰの内径は、上述の工具１が十分な余裕をもって挿入できるように決められている。具体例で説明すると、直径１２０ｍｍ（以下、１２０φのように記す。）の工具１で１２０φの下穴Ｈがあけられたときに、外径１４０φのパイプＰが挿入される。なお、パイプＰの外径が下穴Ｈの径よりも大きくとも、下穴Ｈの周囲は土砂等の崩れやすい性質なので、小さい押圧力で容易にパイプＰを挿入することができる。そして、パイプＰには内径１３０φの穴が設けられているので、そのパイプＰ内に工具１を十分な余裕をもって挿入することができる。
【００１２】
このパイプＰの長さは、下穴Ｈの地表面から所定深さに挿入できるように決められている。具体的には、その長さは、１ｍ前後とされる。なぜならば、工具１であけられた下穴Ｈの崩落（崩壊）は、地表面に近いところで起き易く、ある程度以上の深さでは、地盤が安定して下穴Ｈの崩落（崩壊）が起きないからである。したがって、このパイプＰは、後述の図６に示されるように、工具１であけられた下穴Ｈのうち、地表面近くの下穴Ｈに挿入されて使用される。なお、パイプＰを下穴Ｈの地表面近くに安定してセットするために、パイプＰが下穴Ｈに必要以上挿入しないように、パイプＰの一方の先端部（図１において上端部）の外周に所定の大きさのつばを設けるようにしてもよい。
【００１３】
図１中、Ｐ′は、パイプＰの一方の先端部に貫通して設けられた孔であり、下穴Ｈに挿入されたパイプＰを引き抜くときに用いられる。この貫通孔Ｐ′の使用については後述する。
【００１４】
次に、上述のパイプＰを用いた地中アンカの埋設工程を図２〜図１０を用いて説明する。図２は、地中アンカＡ（図１０参照）を埋設する地面Ｇの所定位置に、本発明の下穴工具及び押圧工具を兼用している工具１を用いて所定の直径で所定の深さの下穴Ｈを地面（地表面）Ｇに対して所定の傾きを有して、すなわち、後述する図１０に示される支線棒Ｘ及び支線Ｙの傾きに合わせて（支線棒Ｘ及び支線Ｙの傾きと同じ傾きで）開け始める状態を示している。この下穴Ｈの掘削作業で用いられる工具１は、通常、超硬ビットと呼ばれているもので、本出願人が特開２００３−２１１４３７号公報で提案しているもので、鋼製の棒状体１ａの先端及び上部のつば部下部に超硬チップ１ｂ，１ｃをそれぞれ有している。この工具１には、パイプ状の補助工具（この補助工具については、本出願に係る特開２００１−２７１３４５号公報に詳述されていて、通常、嵌入パイプと呼ばれている。）Ｍが工具１の頂部に設けられている角柱部１ｄに嵌められるように構成されている。そして、その工具１は、補助工具Ｍが図示しない電柱を地面に立設するときに用いられる周知の穴掘建柱車の回転部（オーガ）Ｏ（図４（ａ）参照）で押圧させながら回転させられると、地面Ｇ内に圧入され、所定深さの下穴Ｈが簡単に形成される。この工具１であけられる下穴Ｈは、図３に示されるように、工具１のつば部下部の超硬チップ１ｃによって決められる所定の直径Ｄで、標準型の工具１では直径Ｄが１２０φの下穴Ｈがあけられる。そして、この下穴Ｈの深さは、上記パイプＰの長さと同じかそれよりも少し深い値、例えば１００〜１５０ｃｍとされる。
【００１５】
なお、地面Ｇに形成される下穴Ｈは、上述したような超硬チップを有する工具１を用いることなく、所定の深さで、かつ、所定の直径の穴を掘ることができる下穴工具であれば採用することができる。例えば、電柱の穴掘建柱車に設けられる螺旋状掘削刃を小型化したようなものを用いることができる。しかし、後述する骨材の破砕と圧入を兼ねる押圧工具と兼用することができるので、上述の超硬チップ１ｂ，１ｃを有する工具１の方が便利である。
【００１６】
図４（ａ）は、工具１によってあけられた下穴ＨにパイプＰを挿入する工程を示している。このパイプＰの下穴Ｈへの挿入は、あけられた下穴ＨにパイプＰを人力により挿入することもできるが、この下穴Ｈの地面Ｇの上部近くが既に崩落していることが多いので人力による挿入には困難を伴うことが多く、したがって、穴掘建柱車を用いて行われる。
【００１７】
この穴掘建柱車を用いたパイプＰの下穴Ｈへの挿入は、図４（ｂ）に示される押込工具１０を補助工具Ｍに取付け、この押込工具１０を介して行われる。この押込工具１０は、上部に補助工具Ｍに挿入される筒部１１を有するとともに、その筒部１１には、補助工具Ｍに設けられている穴（この穴は、本来、支線棒Ｘ（図１０参照）の先端部に設けられているリング部にピンを挿入して補助工具Ｍと支線棒Ｘとを連結するときに用いられる。）に押込工具１０を連結するためのピン穴１１ａが設けられている。そして、その押込工具１０の下部には、パイプＰの上端部が挿入される筒部１２が設けられている。
【００１８】
次いで、工具１の先端からパイプＰを挿入し（パイプＰの内径は、工具１のつば部下部の超硬チップ１ｃ部分が余裕をもって挿入できる大きさに決められているとともに、補助工具Ｍも余裕をもって挿入できる大きさに決められている。）、パイプＰの先端部を押込工具１０の筒部１２内に挿入し、補助工具Ｍを回転させながら押圧すると、パイプＰは簡単に下穴Ｈに挿入される（図４（ａ）参照）。
【００１９】
パイプＰが下穴Ｈに挿入された後に、押込工具１０が補助工具Ｍから外され、工具１により下穴Ｈの穴掘が再び開始される。工具１によってあけられる下穴Ｈの深さは、通常、１００〜２００ｃｍ前後とされる。これは、Ｎ値が１０以下の普通地盤や軟弱（軟質）地盤では、地表から１００ｃｍの深さまでが最も硬く、それよりも深くなると軟らかくなり、２００ｃｍよりも深く下穴Ｈを形成しても支線の耐張力を高める効果がそれほど期待できないからである。
【００２０】
また、この工具１であけられる下穴Ｈの直径（穴径）Ｄは、地中アンカＡ（図１０参照）の螺旋状の掘削刃（上部の最も大きな直径の掘削刃）の直径Ｄ1 によって決められる。すなわち、下穴Ｈの直径Ｄと地中アンカＡの直径Ｄ1 との関係は、Ｄ1 ＝Ｄ×１．１〜１．５とされる。例えば、１４０φの規格品の地中アンカＡの場合、上部の超硬チップ１ｃの設けられているつば部部分の直径が１２０φの標準型の工具（超硬チップ）１が用いられる。
【００２１】
さて、この工具１を用いて図５に示されるような所定深さにあけられた下穴Ｈには、パイプＰを介して所定量の骨材Ｃ、固結剤Ｂ及び水Ｗが投入され（図６参照）、その後、工具１で破砕圧入される（図７参照）。ここで用いられる骨材Ｃとしては、粒径５０ｍｍ程度の礫や砕石、あるいは同程度に破砕されたコンクリート廃材でもよく、ある程度硬質のものであればその種類は問わない。また、地中アンカＡがアース装置の電極と兼用されるようなときは、その骨材としてコークスを用いることもできる。上記固結剤Ｂとしては、例えばセメント又はセメントモルタル等からなる水硬性物質を有効成分とする材料（以下、セメントモルタルで説明する。）が用いられ、特に、急硬成分を含むセメント又は急硬成分を配合してなるセメントモルタルが養生時間を短縮できるので好ましい。下穴Ｈに投入される固結剤Ｂの投入量は、その下穴Ｈに投入される骨材Ｃの量によって決められる。なぜならば、この固結剤Ｂは、骨材Ｃ及び水Ｗと混練されてコンクリート塊を生成するために用いられるものだからである。したがって、投入される骨材Ｃ、固結剤Ｂ及び水Ｗの量も、周知のコンクリート形成のための混合比によって必然的に決まる性質を有している。なお、骨材Ｃ、固結剤Ｂ及び水Ｗの下穴Ｈへの投入は、パイプＰを介して行われるので、下穴Ｈの底部近くまで容易に届かせることができる。
【００２２】
下穴Ｈに投入される１回分の骨材Ｃ及び固結剤Ｂの投入量は、下穴Ｈの穴径にもよるが、その下穴Ｈの穴径が１２０φのときは、スコップ１杯分の骨材量（骨材が礫や砕石の場合は、約５ｋｇ）に対し、１ｋｇのセメントモルタル（又はセメント）及び５００ｃｃの水Ｗで足りる。そして、これら骨材Ｃ、固結剤Ｂ及び水Ｗの投入後に工具１で押圧しながら回転すると（図７参照）、骨材Ｃは破砕されるとともに、下穴Ｈの内壁面内に圧入される（図８のＣ′は、破砕された骨材Ｃの状態を示している。）。工具１による骨材Ｃの破砕圧入処理後、下穴Ｈには、上述と同量の骨材Ｃ、固結剤Ｂ及び水Ｗが投入され、工具１を用いて上述と同様に破砕圧入処理が行われる（図７及び図８参照）。
【００２３】
図９は、骨材Ｃ、固結剤Ｂ及び水Ｗの投入と工具１を用いた破砕圧入を複数回繰返して得られた下穴Ｈの下部に形成された骨材Ｃの圧密化された状態を示している。そして、下穴Ｈの底部が所定深さ圧密化されたときには、パイプＰは下穴Ｈから引抜かれる。パイプＰの引抜きは、パイプＰの上部に設けられている貫通孔Ｐ′を用いることにより穴掘建柱車によって簡単に引抜くことができ、引抜かれたパイプＰは、他の現場において再利用される。上述の下穴Ｈの下部における圧密化をする深さ、すなわち、下穴Ｈの底から圧密化する高さは、地中アンカＡの長さ分あれば十分である（後述の図１０参照）。
【００２４】
骨材Ｃ、固結剤Ｂ及び水Ｗを分割して投入し、その投入の都度、工具１で破砕と圧入を繰返すようにすると、破砕されて細片化された骨材Ｃ′をまんべんなく下穴Ｈの壁面に圧入させて、下穴Ｈの下部に硬い大きな塊（コンクリート塊）を作ることができる。なお、上述の破砕と圧入は、通常、超硬ビットと呼ばれている工具１を押圧工具として用いるが、この超硬ビットと同様に破砕と圧入ができる他の押圧工具を用いることもできる。
【００２５】
図１０は、下穴Ｈの下部が骨材Ｃで圧密化された後に、その下穴Ｈにさらに骨材Ｃを投入し、地中アンカＡを埋設した状態を示している。この地中アンカＡは、鋳鉄製の軸棒ａ1 の先端側（図１０において下部側）に間欠的に所定の間隔を保って螺旋状の掘削刃ａ2 ，ａ2 …を複数個（図示の例では４個）一体的に設けて構成されている。また、この地中アンカＡの先端（図１０において下端部）は、硬質のドリルで形成され、また、掘削刃ａ2 ，ａ2 …も硬質で、かつ、その外周は尖鋭に形成されているので、上述の工具１と同様の作用を有することができる。したがって、地中アンカＡの埋設の際（地中アンカＡのねじ込みの際）、骨材Ｃを破砕し、その破片を下穴Ｈの壁面に圧入させることができる。
【００２６】
上述のようにして下部部分が骨材Ｃの細片で圧密化された下穴Ｈには、地中アンカＡが埋設される。この地中アンカＡの埋設は、地中アンカＡの角柱部ａ3 の頂部に設けられているアイ部に支線棒Ｘを接続し、その支線棒Ｘを補助工具Ｍ（図１０では省略。図２及び図４参照。）の内部に収納しながらその補助工具Ｍを角柱部ａ3 に嵌め、その補助工具Ｍを図示しない穴掘建柱車の回転部で押圧させながら回転して行われる。そして、地中アンカＡが所定深さに埋設された後、補助工具Ｍが外されると、地上には支線棒Ｘの先端部が現れる。次いで、その支線棒Ｘの先端に設けられているリング部に図示しないシンブルを介して支線Ｙが取付けられる。
【図面の簡単な説明】
【００２７】
【図１】パイプの斜視図である。
【図２】下穴をあける工程図である。
【図３】下穴をあける工程図である。
【図４】（ａ）はパイプを下穴に挿入する工程図であり、（ｂ）は右半分を断面で示した押込工具の正面図である。
【図５】下穴にパイプを挿入した図である。
【図６】下穴に骨材、固結剤及び水を投入する工程図である。
【図７】工具で骨材を破砕する工程図である。
【図８】工具で骨材を破砕して下穴に圧入させた状態を示す工程図である。
【図９】工具で骨材を破砕して下穴に圧入させた後、パイプを引抜いた状態を示す工程図である。
【図１０】下穴に地中アンカを埋設したときの断面図である。
【符号の説明】
【００２８】
Ｐ  パイプ
１  工具（超硬ビット）
１０  押込工具
Ｈ  下穴
Ｇ  地面
Ａ  地中アンカ
Ｃ  骨材
Ｂ  固結剤
Ｗ  水
Ｘ  支線棒
Ｙ  支線
【図１】
2006200186.tif 000003
【図２】
2006200186.tif 000004
【図３】
2006200186.tif 000005
【図４】
2006200186.tif 000006
【図５】
2006200186.tif 000007
【図６】
2006200186.tif 000008
【図７】
2006200186.tif 000009
【図８】
2006200186.tif 000010
【図９】
2006200186.tif 000011
【図１０】
2006200186.tif 000012